(57)【要約】【課題】  サブ画面が表示されていることを強調できるテレビを提供する。【解決手段】  テレビを実現するＣＰＵ１１０は、受光部あるいは操作部から出力される指示信号の入力を受け付ける入力部２１０と、当該信号からディスプレイにおいてピクチャーインピクチャー機能を実行する指令を検出する多重画面表示指令部２２０と、ディスプレイの表示領域の一部の領域に予め割り当てられた位置をサブ画面の位置と設定する位置設定部２３０と、当該位置に基づいて各スピーカから出力される音声の定位を変更する量を決定する音声定位変更量決定部２４０と、決定された変更量に基づいて音声の定位を変更するように定位変換回路に対する指令を行なう変更指令部２５０と、ＣＰＵ１１０に接続されている各構成要素に対する信号を出力する出力部２６０とを含む。【選択図】        図２
2007081675.tif 000002
【特許請求の範囲】
【請求項１】
映像音声信号を受信する受信部と、
表示領域に映像を表示する表示部と、
入力される信号に基づいて音声を出力する第１および第２の音声出力部と、
複数の指示の入力をそれぞれ受け付ける入力部と、
前記入力部を介して入力される第１の選局の指示に基づいて、前記受信部により受信された映像音声信号から、選局が指示された第１のチャンネルの映像音声信号を取得する第１の選局部と、
前記入力部を介して入力される第２の選局の指示に基づいて、前記受信部により受信された映像音声信号から、選局が指示された第２のチャンネルの映像音声信号を取得する第２の選局部とを備え、前記第１のチャンネルと前記第２のチャンネルとは異なり、
前記第１のチャンネルの映像音声信号を第１の映像信号と第１の音声信号とに分離する第１の分離手段と、
前記第２のチャンネルの映像音声信号を第２の映像信号と第２の音声信号とに分離する第２の分離手段と、
前記表示領域の一部の領域に映像を表示する指示の入力に応答して、前記一部の領域以外の領域に対応する、前記第１の映像信号に基づくメイン画像信号の生成と、前記一部の領域に対応する、前記第２の映像信号に基づくサブ画像信号の生成とを行ない、前記メイン画像信号と前記サブ画像信号とを合成してピクチャインピクチャ信号を生成し、前記ピクチャインピクチャ信号を前記表示部に対して出力する合成手段と、
前記一部の領域に映像を表示する指示が入力された時刻から経過した時間に応じて、前記第２の音声信号のレベルを変更し、変更された信号を前記第１および第２の音声出力部に対して出力する音声定位変更手段とを備える、テレビジョン受像装置。
【請求項２】
第１の映像音声信号と第２の映像音声信号との入力を受け付ける信号入力手段と、
表示領域に映像を表示する表示部と、
入力される信号に基づいて音声を出力する第１および第２の音声出力部と、
指示の入力を受け付ける入力部と、
前記第１の映像音声信号に基づいて、第１の映像信号と第１の音声信号とを取得する第１の分離手段と、
前記第２の映像音声信号に基づいて、第２の映像信号と第２の音声信号とを取得する第２の分離手段と、
前記表示領域に複数の画面を表示する指示の入力に基づいて、前記複数の画面を同時に表示するための信号を生成して前記表示部に対して出力する生成手段と、
前記指示の入力に応答して、前記第２の音声信号の定位を変更して、前記定位が変更された信号を前記第１および第２の音声出力部に対して出力する音声定位変更手段とを備える、テレビジョン受像装置。
【請求項３】
前記音声定位変更手段は、前記指示が入力された時刻から経過する時間に応じて、前記第２の音声信号のレベルを変更し、変更された信号を前記第１および第２の音声出力部に対して出力する定位変更手段を含む、請求項２に記載のテレビジョン受像装置。
【請求項４】
前記定位変更手段は、前記指示が入力された時間から予め定められた時間、前記第２の音声信号のレベルを変更する、請求項３に記載のテレビジョン受像装置。
【請求項５】
前記定位変更手段は、前記指示が入力された時刻から予め定められた時間が経過するまで前記第２の音声信号のレベルを漸次増加させ、前記予め定められた時間が経過すると前記第２の音声信号のレベルを漸次減少させる、請求項３に記載のテレビジョン受像装置。
【請求項６】
前記音声定位変更手段は、前記複数の画面のいずれかの画面の前記表示領域における位置に基づいて、前記第２の音声信号の定位を変更する第１の定位変更手段を含む、請求項２に記載のテレビジョン受像装置。
【請求項７】
前記音声定位変更手段は、前記第１の音声信号の定位を、前記第２の音声信号の定位がずれている方向と反対の方向に変更する第２の定位変更手段をさらに含む、請求項６に記載のテレビジョン受像装置。
【請求項８】
前記第１の音声信号および前記第２の音声信号に基づいて、外部にサラウンド音声信号を出力する出力手段をさらに備え、前記出力手段には、前記サラウンド音声信号に基づいて音声を出力するサラウンド音声出力部が電気的に接続されており、
前記音声定位変更手段は、
前記第２の音声信号の定位を前記表示領域の左右方向に変更する第１の変更手段と、
前記第１および第２の音声出力部と、前記サラウンド音声出力部とを結ぶ方向に、前記第２の音声信号の定位を変更する第２の変更手段とを含む、請求項２に記載のテレビジョン受像装置。
【請求項９】
前記信号入力手段は、
映像音声信号を受信する受信部と、
前記入力部を介して入力される第１の選局の指示に基づいて、前記受信部により受信された映像音声信号から、選局が指示された第１のチャンネルの映像音声信号を前記第１の映像音声信号として取得する第１の選局部と、
前記入力部を介して入力される第２の選局の指示に基づいて、前記受信部により受信された映像音声信号から、選局が指示された第２のチャンネルの映像音声信号を前記第２の映像音声信号として取得する第２の選局部とを含み、
前記第１の分離手段は、前記第１のチャンネルの映像音声信号を、前記第１の映像信号と前記第１の音声信号とに分離し、
前記第２の分離手段は、前記第２のチャンネルの映像音声信号を、前記第２の映像信号と前記第２の音声信号とに分離する、請求項２に記載のテレビジョン受像装置。
【請求項１０】
前記第１のチャンネルと前記第２のチャンネルとは異なる、請求項９に記載のテレビジョン受像装置。
【請求項１１】
前記信号入力手段は、
映像音声信号を受信する受信部と、
前記入力部を介して入力される選局の指示に基づいて、前記受信部により受信された映像音声信号から、選局が指示されたチャンネルの信号を、前記第１の映像音声信号として取得する選局部と、
外部から第２の映像音声信号の入力を受け付ける外部入力部とを含む、請求項２に記載のテレビジョン受像装置。
【請求項１２】
前記生成手段は、前記表示領域の一部の領域に映像を表示する指示の入力に応答して、前記一部の領域以外の領域に対応するメイン画像信号の生成と、前記一部の領域に対応するサブ画像信号の生成とを行ない、前記メイン画像信号と前記サブ画像信号とを合成してピクチャインピクチャ信号を生成し、前記ピクチャインピクチャ信号を前記表示部に対して出力する合成手段を含む、請求項２に記載のテレビジョン受像装置。
【請求項１３】
前記合成手段は、前記第１の映像信号に基づいて前記メイン画像信号を生成し、かつ、前記第２の映像信号に基づいて前記サブ画像信号を生成する、請求項１２に記載のテレビジョン受像装置。
【発明の詳細な説明】
【技術分野】
【０００１】
本発明はテレビジョン受像装置に関し、より特定的には、複数の画面を表示可能なテレビジョン受像装置による音声の出力の制御に関する。
【背景技術】
【０００２】
テレビジョン受像装置に関し、いわゆるピクチャインピクチャと称される表示機能が知られている。この機能によれば、液晶ディスプレイその他の表示部に、メイン画面の表示に加えてサブ画面が表示される。ピクチャインピクチャ機能の実行時に音声を出力する技術は、たとえば特許文献１〜４に開示されている。
【特許文献１】特開平６−３１１４４８号公報
【特許文献２】特開２０００−６９３９１号公報
【特許文献３】特開２０００−１５２１２３号公報
【特許文献４】特開２０００−２７０２３８号公報
【発明の開示】
【発明が解決しようとする課題】
【０００３】
このようなピクチャインピクチャ機能が実現されている場合、通常のテレビジョン受像装置は、いずれかの画面に対応する音声を出力する。
【０００４】
しかしながら、いずれの画面に対応する各音声の出力が求められる場合がある。この場合、複数の画面に対応する各音声がそれぞれ出力されると、視聴者は、どの音声がどの画面に対応するものか、容易に識別することができない。
【０００５】
本発明は、上述の問題点を解決するためになされたものであって、その第１の目的は、複数の画面を表示可能なテレビジョン受像装置において、各画面に応じた各音声の識別を可能にするテレビジョン受像装置を提供することである。
【０００６】
本発明の第２の目的は、複数の画面の表示が開始されたことを視聴者に認識させることができるテレビジョン受像装置を提供することである。
【課題を解決するための手段】
【０００７】
上記の課題を解決するために、この発明のある局面に従うテレビジョン受像装置は、映像音声信号を受信する受信部と、表示領域に映像を表示する表示部と、入力される信号に基づいて音声を出力する第１および第２の音声出力部と、複数の指示の入力をそれぞれ受け付ける入力部と、入力部を介して入力される第１の選局の指示に基づいて、受信部により受信された映像音声信号から、選局が指示された第１のチャンネルの映像音声信号を取得する第１の選局部と、入力部を介して入力される第２の選局の指示に基づいて、受信部により受信された映像音声信号から、選局が指示された第２のチャンネルの映像音声信号を取得する第２の選局部とを備える。第１のチャンネルと第２のチャンネルとは異なる。テレビジョン受像装置は、第１のチャンネルの映像音声信号を第１の映像信号と第１の音声信号とに分離する第１の分離手段と、第２のチャンネルの映像音声信号を第２の映像信号と第２の音声信号とに分離する第２の分離手段と、表示領域の一部の領域に映像を表示する指示の入力に応答して、一部の領域以外の領域に対応する、第１の映像信号に基づくメイン画像信号の生成と、一部の領域に対応する、第２の映像信号に基づくサブ画像信号の生成とを行ない、メイン画像信号とサブ画像信号とを合成してピクチャインピクチャ信号を生成し、ピクチャインピクチャ信号を表示部に対して出力する合成手段と、一部の領域に映像を表示する指示が入力された時刻から経過した時間に応じて、第２の音声信号のレベルを変更し、変更された信号を第１および第２の音声出力部に対して出力する音声定位変更手段とを備える。
【０００８】
この発明の他の局面に従うテレビジョン受像装置は、第１の映像音声信号と第２の映像音声信号との入力を受け付ける信号入力手段と、表示領域に映像を表示する表示部と、入力される信号に基づいて音声を出力する第１および第２の音声出力部と、指示の入力を受け付ける入力部と、第１の映像音声信号に基づいて、第１の映像信号と第１の音声信号とを取得する第１の分離手段と、第２の映像音声信号に基づいて、第２の映像信号と第２の音声信号とを取得する第２の分離手段と、表示領域に複数の画面を表示する指示の入力に基づいて、複数の画面を同時に表示するための信号を生成して表示部に対して出力する生成手段と、指示の入力に応答して、第２の音声信号の定位を変更して、定位が変更された信号を第１および第２の音声出力部に対して出力する音声定位変更手段とを備える。
【０００９】
好ましくは、音声定位変更手段は、指示が入力された時刻から経過する時間に応じて、第２の音声信号のレベルを変更し、変更された信号を第１および第２の音声出力部に対して出力する定位変更手段を含む。
【００１０】
好ましくは、定位変更手段は、指示が入力された時間から予め定められた時間、第２の音声信号のレベルを変更する。
【００１１】
好ましくは、定位変更手段は、指示が入力された時刻から予め定められた時間が経過するまで第２の音声信号のレベルを漸次増加させ、予め定められた時間が経過すると第２の音声信号のレベルを漸次減少させる。
【００１２】
好ましくは、音声定位変更手段は、複数の画面のいずれかの画面の表示領域における位置に基づいて、第２の音声信号の定位を変更する第１の定位変更手段を含む。
【００１３】
好ましくは、音声定位変更手段は、第１の音声信号の定位を、第２の音声信号の定位がずれている方向と反対の方向に変更する第２の定位変更手段をさらに含む。
【００１４】
好ましくは、テレビジョン受像装置は、第１の音声信号および第２の音声信号に基づいて、外部にサラウンド音声信号を出力する出力手段をさらに備える。出力手段には、サラウンド音声信号に基づいて音声を出力するサラウンド音声出力部が電気的に接続されている。音声定位変更手段は、第２の音声信号の定位を表示領域の左右方向に変更する第１の変更手段と、第１および第２の音声出力部と、サラウンド音声出力部とを結ぶ方向に、第２の音声信号の定位を変更する第２の変更手段とを含む。
【００１５】
好ましくは、信号入力手段は、映像音声信号を受信する受信部と、入力部を介して入力される第１の選局の指示に基づいて、受信部により受信された映像音声信号から、選局が指示された第１のチャンネルの映像音声信号を第１の映像音声信号として取得する第１の選局部と、入力部を介して入力される第２の選局の指示に基づいて、受信部により受信された映像音声信号から、選局が指示された第２のチャンネルの映像音声信号を第２の映像音声信号として取得する第２の選局部とを含む。第１の分離手段は、第１のチャンネルの映像音声信号を、第１の映像信号と第１の音声信号とに分離する。第２の分離手段は、第２のチャンネルの映像音声信号を、第２の映像信号と第２の音声信号とに分離する。
【００１６】
好ましくは、第１のチャンネルと第２のチャンネルとは異なる。
好ましくは、信号入力手段は、映像音声信号を受信する受信部と、入力部を介して入力される選局の指示に基づいて、受信部により受信された映像音声信号から、選局が指示されたチャンネルの信号を、第１の映像音声信号として取得する選局部と、外部から第２の映像音声信号の入力を受け付ける外部入力部とを含む。
【００１７】
好ましくは、生成手段は、表示領域の一部の領域に映像を表示する指示の入力に応答して、一部の領域以外の領域に対応するメイン画像信号の生成と、一部の領域に対応するサブ画像信号の生成とを行ない、メイン画像信号とサブ画像信号とを合成してピクチャインピクチャ信号を生成し、ピクチャインピクチャ信号を表示部に対して出力する合成手段を含む。
【００１８】
好ましくは、合成手段は、第１の映像信号に基づいてメイン画像信号を生成し、かつ、第２の映像信号に基づいてサブ画像信号を生成する。
【発明の効果】
【００１９】
本発明に係るテレビジョン受像装置によると、視聴者は、複数の画面を表示可能なテレビジョン受像装置において、各画面に応じた各音声を識別することができる。
【００２０】
本発明に係るテレビジョン受像装置によると、視聴者は、複数の画面の表示が開始されたことを音声に基づいても認識することができる。
【発明を実施するための最良の形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
＜第１の実施の形態＞
図１を参照して、本発明の第１の実施の形態に係るテレビ１００について説明する。図１は、テレビ１００のハードウェア構成を表わすブロック図である。
【００２３】
テレビ１００は、映像音声信号を受信するアンテナ１０２と、アンテナ１０２に接続され選局を指示されたチャンネルの映像音声信号を取得するチューナ１１４ａ，１１４ｂと、外部映像音声信号の入力を受け付ける外部入力部１０４と、リモコン信号を受信する受光部１０６と、テレビ１００に対する指示の入力を受け付ける操作部１０８と、テレビ１００の動作を制御するＣＰＵ（Central  Processing  Unit）１１０とを備える。ＣＰＵ１１０は、メモリ１１２を含む。
【００２４】
テレビ１００はさらに、外部入力部１０４とチューナ１１４ａ，１１４ｂとに接続されＣＰＵ１１０からの信号に基づいて映像音声信号の出力先を切り換える切換回路１１６と、ＣＰＵ１１０からの信号に基づいて切換回路１１６から出力される信号を映像信号と音声信号とに分離して出力する信号処理回路１２０と、映像を表示するディスプレイ１３０と、信号処理回路１２０から出力される映像信号をディスプレイ１３０に出力するためのドライバ１２８とを備える。
【００２５】
信号処理回路１２０は、切換回路１１６からの信号を映像信号と音声信号とに分離する分離回路１２２ａ，１２２ｂと、分離回路１２２ａからの映像信号と分離回路１２２ｂからの映像信号とを合成して出力する合成回路１２４とを含む。合成回路１２４は、ＣＰＵ１１０からの信号に基づいてディスプレイ１３０に表示される画像を生成するためのＯＳＤ（On  Screen  Display）回路１２６を含む。
【００２６】
テレビ１００はさらに、分離回路１２２ｂから出力される音声信号の入力を受けてＣＰＵ１１０からの指示に基づいて音声信号の定位を変換して、変換後の音声信号を出力する定位変換回路１３２ａと、分離回路１２２ａから出力される音声信号の入力を受けてＣＰＵ１１０からの信号に基づいてその音声信号の定位を変換して出力する定位変換回路１３２ｂと、定位変換回路１３２ａから出力される音声信号と定位変換回路１３２ｂから出力される音声信号との入力を受け、入力された各信号を合成して出力する混合回路１３４ａと、混合回路１３４ａから出力される音声信号を増幅して出力するアンプ１３６ａと、アンプ１３６ａから出力される音声信号に基づいて音声を出力するスピーカ１４０ａとを備える。
【００２７】
テレビ１００はさらに、分離回路１２２ｂから出力される音声信号の入力を受けてその音声信号の定位を変換して出力する定位変換回路１３２ｃと、分離回路１２２ａから出力される音声信号の入力を受けてＣＰＵ１１０からの指示に基づいて音声信号の定位を変換して出力する定位変換回路１３２ｄと、定位変換回路１３２ｃから出力される音声信号と定位変換回路１３２ｄから出力される音声信号との入力を受けてこれらの信号を合成して出力する混合回路１３４ｂと、混合回路１３４ｂから出力される音声信号を増幅して出力するアンプ１３６ｂと、アンプ１３６ｂにより増幅された音声信号に基づいて音声を出力するスピーカ１４０ｂとを備える。
【００２８】
図２を参照して、テレビ１００を実現するＣＰＵ１１０について説明する。図２は、ＣＰＵ１１０により実現される機能の構成を表わすブロック図である。
【００２９】
ＣＰＵ１１０は、受光部１０６あるいは操作部１０８から出力される指示信号の入力を受け付ける入力部２１０と、入力された信号からディスプレイ１３０においていわゆるピクチャーインピクチャー機能の実行指示を検出する多重画面表示指令部２２０と、メモリ１１２に格納されているデータに基づいてディスプレイ１３０における表示領域の一部の領域に予め割り当てられた位置をピクチャーインピクチャー機能の実行により表示されるサブ画面の位置として設定する位置設定部２３０と、位置設定部２３０により設定された位置に基づいてスピーカ１４０ａ，１４０ｂから出力される音声の定位を変更する量を決定する音声定位変更量決定部２４０と、決定された変更量に基づいて音声の定位を変更するように各定位変換回路１３２ａ〜１３２ｄに対する指令を行なう変更指令部２５０と、ＣＰＵ１１０に接続されている各構成要素に対する信号を出力する出力部２６０とを含む。
【００３０】
図３を参照して、本実施の形態に係るテレビ１００のデータ構造について説明する。図３は、メモリ１１２におけるデータの格納の一態様を概念的に表わす図である。メモリ１１２は、データを格納する領域３１０，３２０を含む。
【００３１】
ディスプレイ１３０に表示されるサブ画面の位置を特定するためのデータは、領域３１０に格納されている。音声の定位を変更する場合にその変更される量を規定するためのデータは、領域３２０に格納されている。音声の定位の変更がテレビ１００の視聴者によって指示されると、ＣＰＵ１１０は、領域３１０に格納されている位置と領域３２０に格納されている規定量とを参照して、音量レベルの変更量を算出し、算出結果を各定位変換回路１３２ａ〜１３２ｄに対して送信する。定位変換回路１３２ａ〜１３２ｄは、その変更量に応じて音声信号の出力レベルを低減した上で、それぞれ出力する。
【００３２】
ここで図４を参照して、テレビ１００によるピクチャーインピクチャー機能について説明する。図４は、ディスプレイ１３０の表示領域（以下、適宜、メイン画面）の一部に表示されるサブ画面の領域を概念的に表わす図である。
【００３３】
テレビ１００は、ピクチャーインピクチャー機能の実行指示に基づいて表示されるサブ画面を、ディスプレイ１３０の四隅のいずれかに表示することができる。ディスプレイ１３０は、領域４１０，４２０，４３０，４４０のいずれかを表示できる。
【００３４】
たとえば領域４１０は、ディスプレイ１３０の中心に対して左上に位置する。領域４１０は、サブ画面が最初に表示される位置として予め設定されている。視聴者がサブ画面の表示を変更するための指示をたとえばリモコン端末（図示しない）を介して入力すると、領域４１０の表示に代えて、領域４２０がディスプレイ１３０に表示される。視聴者がさらに位置を変更するための指示を入力すると、領域４３０が表示される。領域４４０の表示も同様である。このように、視聴者が同一の操作を繰り返すことにより、サブ画面の表示はもとの位置において実現されることになる。なお、ピクチャーインピクチャー機能の実行時に表示されるサブ画面の位置は、図４に示されるものに限られない。
【００３５】
ディスプレイ１３０が、ピクチャーインピクチャー機能の実行時に、領域４１０〜４４０のいずれかを表示している場合、スピーカ１４０ａ，１４０ｂは、ディスプレイ１３０に当初表示されている映像（メイン画面に表示されている映像）とサブ画面に表示されている映像とのそれぞれに対応する音声を出力する。このとき、各スピーカから出力される音声は、図３に示される設定値に基づいてサブ画面に対応する音声の出力レベルが低減されている。したがって、テレビ１００の視聴者は、メイン画面に対応する音声のレベルはそのままに、サブ画面に対応する音声を絞った状態で、いずれの音声も聴くことができる。
【００３６】
図５を参照して、テレビ１００の制御構造について説明する。図５は、ＣＰＵ１１０が実行する処理の手順を表わすフローチャートである。
【００３７】
ステップＳ５１０にて、ＣＰＵ１１０は、受光部１０６により受信されたリモコン信号あるいは操作部１０８に対して入力された指示に基づいて、ピクチャーインピクチャー機能の実行指示を検出する。ステップＳ５２０にて、ＣＰＵ１１０は、その指示の検出に応答して、メモリ１１２に格納されているデータに基づいて、ディスプレイ１３０に表示されるサブ画面の位置を設定する。ＣＰＵ１１０は、その位置が含まれる制御信号を生成する。
【００３８】
ステップＳ５３０にて、ＣＰＵ１１０は、定位変換回路１３２ａ〜１３２ｄに対してサブ画面に対応する音声信号のレベルを下げる指令をそれぞれ送出する。その結果、スピーカ１４０ａ，１４０ｂは、メイン画面に対する音声の音量よりも小さな音量で、サブ画面に対する音声を出力する。
【００３９】
以上のようにして、本発明の第１の実施の形態に係るテレビ１００は、ディスプレイ１３０に２つの画面を表示している場合でも、定位が変更された音声を出力する。視聴者は、各画面の音声が出力されていることを容易に認識することができる。
【００４０】
＜第２の実施の形態＞
以下、本発明の第２の実施の形態について説明する。本実施の形態に係るテレビは、サブ画面に対応する音声の定位を変更する機能に加えてメイン画面に対応する音声を変更する機能も有する点で、前述の実施の形態に係るテレビ１００と異なる。なお、この機能は、図１に示されるＣＰＵ１１０にその機能を実現するためのプログラムを実行させることによって実現可能である。
【００４１】
本実施の形態に係るテレビのハードウェア構成は、図１に示されるテレビ１００のハードウェア構成と同じである。各ハードウェアの機能および作用も、ＣＰＵ１１０により新たに実現される機能および作用を除き、同じである。したがって、ここでは、これらの機能および作用についての説明は、繰り返さない。
【００４２】
図６を参照して、本実施の形態に係るテレビの制御構造について説明する。図６は、本実施の形態に係るテレビを実現するＣＰＵ１１０が実行する処理の手順を表わすフローチャートである。
【００４３】
ステップＳ６１０にて、ＣＰＵ１１０は、受光部１０６により受信されるリモコン信号あるいは操作部１０８に対して入力される指示に基づいて、ピクチャーインピクチャー機能の実行指示を検出する。ステップＳ６２０にて、ＣＰＵ１１０は、メモリ１１２に格納されているデータに基づいてディスプレイ１３０に表示されるサブ画面の位置を設定する。
【００４４】
ステップＳ６３０にて、ＣＰＵ１１０は、ディスプレイ１３０のメイン画面に対応する音声信号を左よりに出力するための指令を定位変換回路１３２ａ〜１３２ｄに対して送出する。ステップＳ６４０にて、ＣＰＵ１１０は、サブ画面に対応する音声を右よりに出力する指令を、定位変換回路１３２ａ〜１３２ｄに対して送出する。
【００４５】
その結果、スピーカ１４０ａから出力される音声と、スピーカ１４０ｂから出力される音声とは、それぞれの音量レベルが異なって出力される。すなわち、図４に示されるようにスピーカ１４０ａがテレビ１００において左側に位置するスピーカである場合、メイン画面に対応する音声はスピーカ１４０ａからより大きく出力される。
【００４６】
一方、サブ画面に対応する音声は、スピーカ１４０ｂからより大きく出力される。テレビ１００の視聴者は、各スピーカから出力される音声のレベルの相違を認識することができるため、メイン画面とサブ画面とのいずれの視聴も楽しむことができる。
【００４７】
＜第３の実施の形態＞
以下、本発明の第３の実施の形態について説明する。本実施の形態に係るテレビは、サラウンド音声を出力する機能を有する点で、前述の各実施の形態に係るテレビと異なる。
【００４８】
図７を参照して、本実施の形態に係るテレビ７００の構成について説明する。図７は、テレビ７００のハードウェア構成を表わすブロック図である。なお、前述の各実施の形態におけるハードウェア構成と同一の構成の説明は、繰り返さない。
【００４９】
テレビ７００は、図１に示される構成に加えて、定位変換回路１３２ｅ〜１３２ｈと、混合回路１３４ｃ，１３４ｄと、アンプ１３６ｃ，１３６ｄとを備える。アンプ１３６ｃ，１３６ｄには、スピーカ１４０ｃ，１４０ｄとがそれぞれ接続されている。
【００５０】
テレビ７００は、図１に示される構成に対して、ＣＰＵ１１０に代えてＣＰＵ７１０を備える。テレビ７００は、信号処理回路１２０に代えて信号処理回路７２０を備える。
【００５１】
ＣＰＵ７１０は、受光部１０６により受信されるリモコン信号に基づいて、あるいは操作部１０８に対して入力される指示に基づいて、サラウンド音声の指令を信号処理回路７２０に対して送出する。信号処理回路７２０は、ＣＰＵ７１０からの信号に基づいて音声信号をサラウンド出力することができる分離回路７２２ａ，７２２ｂを含む。
【００５２】
図８を参照して、テレビ７００の機能について説明する。図８は、ＣＰＵ７１０により実現される機能の構成を表わすブロック図である。
【００５３】
ＣＰＵ７１０は、図２に示される構成に加えて、入力部２１０を介して入力された信号からサラウンド音声の出力指示を検出するサラウンド出力指令検出部８１０と、その指示に基づいてサラウンド音声信号を生成する指示を分離回路７２２ａ，７２２ｂに対して送出するサラウンド出力指令部８２０とを含む。
【００５４】
分離回路７２２ａ，７２２ｂは、その指令に基づいてサラウンド音声信号を生成し、それぞれ各定位変換回路１３２ｅ〜１３２ｈに対して送出する。定位変換回路１３２ｅ〜１３２ｈは、ＣＰＵ７１０により出力される音声定位の変換指令に基づいて入力される音声信号の定位を変更し、混合回路１３４ｃ，１３４ｄに対して出力する。混合回路１３４ｃ，１３４ｄは、それぞれ入力される各信号を合成してアンプ１３６ｃ，１３６ｄに対して送出する。アンプ１３６ｃ，１３６ｄは、それぞれ入力される信号を増幅してスピーカ１４０ｃ，１４０ｄに対して送出する。スピーカ１４０ｃ，１４０ｄは、その音声信号に基づいて音声を出力する。スピーカ１４０ｃ，１４０ｄから出力される音声の定位は、スピーカ１４０ａ，１４０ｂから出力される音声の定位に対して変更されている。
【００５５】
このようにすると、テレビ７００の視聴者は、前後方向に配置されたスピーカから出力される音声を、定位が変更された音声として聴くことができる。その結果、視聴者は、サラウンド出力された映像音声についても、ピクチャーインピクチャー機能の実行時における映像音声の視聴を楽しむことができる。
【００５６】
＜第４の実施の形態＞
以下、本発明の第４の実施の形態について説明する。これまでの実施の形態においては、音声の定位のための音量レベルの調整量は、ディスプレイ１３０に表示されるサブ画面の位置にかかわらず固定されていた。音声定位の調整は、このような固定時に限られず、変更可能なものであってもよい。たとえば調整される音量レベルは、ディスプレイ１３０に表示されるサブ画面の位置に応じて変更可能であってもよい。
【００５７】
このような機能は、メモリ１１２に格納されるデータと、そのデータを参照するプログラムの変更によって実現される。その他のハードウェア構成は、たとえば図１に示されるハードウェア構成と同じである。各ハードウェアの機能および作用も同じである。したがって、ハードウェア構成についての説明は繰り返さない。
【００５８】
図９を参照して、本実施の形態に係るテレビを実現するデータ構造について説明する。図９は、メモリ１１２における音声定位の変更のためのデータの格納の一態様を概念的に表わす図である。メモリ１１２は、データを格納する領域９１０，９２０を含む。
【００５９】
ディスプレイ１３０に表示されるサブ画面の位置を特定するためのデータは、領域９１０に格納されている。音声定位の変更のために予め設定されている調整量は、領域９２０に格納されている。領域９１０に格納されているデータと領域９２０に格納されているデータとは、それぞれ関連付けられている。したがって、ディスプレイ１３０に表示されるサブ画面の位置が特定されると、その位置に応じて調整される音量レベルも必然的に決定される。
【００６０】
たとえば、サブ画面の位置として「第１の位置」が特定された場合、音量レベルの調整量は、「１０％減」である。この場合、ＣＰＵ１１０は、特定されたサブ画面の位置に応じて音量レベルを調整するための信号を生成し、その信号を各定位変換回路１３２ａ〜１３２ｄに対して送出する。その結果、第１の位置に表示されるサブ画面に対応する音声の音量は、メイン画面に対応する音声よりも１０％だけ小さく出力される。
【００６１】
ここで、図１０を参照して、ピクチャインピクチャ機能の実行時に表示されるサブ画面の位置について説明する。図１０は、サブ画面の表示のためにディスプレイ１３０に示される領域を表わす図である。
【００６２】
ディスプレイ１３０は、その表示領域内においてサブ画面の位置を自由に表示することができる。サブ画面の表示は、たとえばリモコン端末に含まれる上下方向左右方向を移動するためのボタン（図示しない）に対する操作に応じて実現される。この場合、合成回路１２４は、その操作に応じた位置にサブ画面を表示するように映像信号を出力する。
【００６３】
テレビの視聴者が、当該操作を実行すると、リモコン端末はその操作に応じた信号を発信し、受光部１０６はその信号を受信する。ＣＰＵ１１０は、その信号に基づいてディスプレイ１３０に対して表示が指示された場所を特定し、位置が変更されたサブ画面を表示する信号を生成し、その位置に応じて音量レベルを調整する信号を生成する。
【００６４】
このようにすると、サブ画面の表示が視聴者の操作に応じて変更可能になるため、メイン画面における表示を妨げないためにサブ画面の位置を変更した場合に、音声定位が変更される。このとき、視聴者は、サブ画面に対応する音声の変化を容易に認識することができ、サブ画面の表示位置が変わったことを容易に知ることができる。
【００６５】
なお、サブ画面の位置と音量レベルの調整量との関係は、図９および図１０に示されるものに限られない。たとえば、サブ画面がメイン画面の中心から離れるほど、音量レベルの調整量が小さくなるものでもよい。このようにすると、視聴者は、音量の強弱と画面間の距離との関係を直感的に把握し易くなるため、サブ画面に対応する音声が出力されていることをさらに認識することができる。
【００６６】
＜第５の実施の形態＞
本実施の形態に係るテレビは、ディスプレイ１３０に表示されるサブ画面の位置に応じて音量レベルが変更される点で、第４の実施の形態と異なる。すなわち、ＣＰＵ１１０は、ディスプレイ１３０に表示されているサブ画面の中心とメイン画面の中心との距離を算出し、さらにその距離とメイン画面領域の距離との比を算出する。ＣＰＵ１１０は、その比に応じて音量レベルを調整する。
【００６７】
なお、本実施の形態に係るテレビは、たとえば図１に示されるハードウェア構成を用いて、本実施の形態に特有の処理をＣＰＵ１１０に実行させることにより実現される。したがって、ここではそれらについての説明は繰り返さない。
【００６８】
図１１を参照して、本実施の形態に係るテレビのデータ構造について説明する。図１１は、メモリ１１２における音声定位の変更を実現するためのデータの一態様を概念的に表わす図である。メモリ１１２は、データを格納する領域１１１０，１１２０を含む。
【００６９】
サブ画面の中心とメイン画面の中心との距離と、メイン画面領域の長さとの比は、領域１１１０に格納されている。各比は、予め設定された区分ごとに分けられている。なお、この区分の大きさは、領域１１１０に示される区分の大きさに限られない。
【００７０】
音量レベルの調整量は、領域１１２０に格納されている。各調整量は、それぞれ領域１１１０に格納されているデータに関連付けられている。したがって、ディスプレイ１３０に表示されているサブ画面の位置が特定されると、領域１１１０に格納されているデータが特定され、音量レベルの調整量（領域１１２０）が必然的に定まる。ＣＰＵ１１０は、その調整量に基づいて音声定位を変更するように、定位変換回路１３２ａ〜１３２ｄに対して指示する。
【００７１】
以上のようにして、本実施の形態に係るテレビは、サブ画面の中心とメイン画面の中心との距離と、メイン画面領域の長さとの比に応じて音量レベルが調整された音声を出力する。このようにすると、音量レベルを詳細に設定することができるため、サブ画面に対応して出力される音声をより柔軟に調整することができる。視聴者は、サブ画面の表示がおこなわれていることを、容易に認識することができる。
【００７２】
＜第６の実施の形態＞
以下、本発明の第６の実施の形態について説明する。前述の各実施の形態においては、音声定位の変更は、ディスプレイ１３０に表示されるサブ画面の位置に基づいて実行されていた。音声定位の変更は、このような位置に基づいて実行されるものに限られず、たとえば時間に基づいて変更可能であってもよい。ピクチャーインピクチャー機能が実行されている場合、サブ画面に対応する音声は、常に出力されなくてもよい。たとえば、音声は、予め定められた時間の間だけ、出力されてもよい。
【００７３】
そこで、図１２を参照して、本実施の形態に係るテレビを実現するための技術的思想について説明する。図１２は、サブ画面に対応する音声が出力される時間と音量レベルの推移とを表わす図である。
【００７４】
サブ画面の表示が開始されると、サブ画面に対応する音声の出力は、予め定められた時間としてｔ（２）の間だけ実行される。音量レベルは、サブ画面の表示が開始された時刻（時刻ｔ（０））には、レベルは０である。音量レベルは、時刻ｔ（１）まで上昇する。時刻ｔ（１）は、たとえば時間ｔ（２）の半分の時間に対応する。その後、音量レベルは、低減される。この場合、時刻ｔ（１）における音量レベルｄｍａｘが最大値となる。
【００７５】
このようにすると、ディスプレイ１３０においてサブ画面が表示された後、しばらく音声が大きくなり（時刻ｔ（１）まで）、その後、サブ画面の音声は低減されることになる。
【００７６】
その結果、サブ画面に対応する音声は一定時間だけ出力されることになるため、視聴者は、ピクチャーインピクチャー機能の実行が開始された後しばらくの間、サブ画面が新たにディスプレイ１３０に表示されたことを容易に認識することができる。その後、サブ画面の音声が出力されなくなるため、視聴者は、メイン画面の映像と音声とに集中して視聴することができる。
【００７７】
また、視聴者がメイン画面に対応する音声を一定の音量レベルで聴いている場合でも、サブ画面に対応する音声の変化を容易に認識することができる。
【００７８】
なお、音量レベルの変化の様子は、図１２に示されるものに限られない。音量レベルの増加率がさらに大きくてもよいし、逆に、緩やかに変化するものでもよい。また、音量レベルが最大値になる時刻は、サブ画面に対応する音声が出力される時間の半分が経過した時刻でなくてもよい。たとえば、前半に音量レベルが最大となるように、変化率が設定されてもよい。この場合、変化率は、時刻ｔ（１）まで急激に変化するように設定され、その後、緩やかに減少するように設定されることになる。
【００７９】
あるいは、音声の出力が終了する間際に、音量レベルが最大となるように、変化率が設定されてもよい。この場合、変化率は、時刻ｔ（１）まで緩やかに増加し、その後、急激に減少するような変化率が設定されることになる。
【００８０】
＜変形例＞
以下、本実施の形態の変形例について説明する。前述の実施の形態においては、一定時間だけサブ画面の音声が出力される場合が説明された。そのとき、左右に配置されているスピーカから出力される音声の音量レベルは、それぞれ同レベルという前提で説明してある。
【００８１】
しかしながら、左右のスピーカから出力される音声のレベルを変更してもよい。たとえば、サブ画面の表示が開始された当初、左スピーカからサブ画面の音声を大きく出力し、その後、その音量を小さくしつつ、同時に右側のスピーカから出力される音声を大きくし、一定時間経過した後に、それぞれの音量レベルを０にしてもよい。
【００８２】
このような音量レベルの時間的な変更は、たとえばメモリ１１２において各スピーカ１４０ａ，１４０ｂについての音量レベルを時間に関連付けておき、その関連付けが行なわれたデータに基づいて出力される音声のレベルを変更することにより、実現される。
【００８３】
そこで、図１３を参照して、本変形例に係るテレビを実現するための技術的思想について説明する。図１３は、スピーカ１４０ａ，１４０ｂの各々について設定される音量レベルの関係を表わす図である。
【００８４】
曲線１３１０は、たとえば左スピーカ１４０ａに対応する。曲線１３２０は、右側のスピーカ１４０ｂに対応する。左側のスピーカ１４０ａに関し、音量レベルは、時刻ｔ（０）から時刻ｔ（１）まで急激に増加し、その後、時刻ｔ（３）まで緩やかに減少する。したがって、スピーカ１４０ａは、ピクチャーインピクチャー機能の実行を開始してから予め設定された時間が経過するまで、音量レベルを大きくしてサブ画面に対応する音声を出力し、その後、音量レベルを小さくして音声を出力する。
【００８５】
一方、右側のスピーカ１４０ｂに関し、出力される音声のレベルは、時刻ｔ（４）まで緩やかに上昇し、その後時刻ｔ（５）に至るまでに急激に小さくされる。ここでは、たとえば時刻ｔ（２）において音量レベルｄｅとして同一である。したがって、ある時刻において、左右のスピーカ１４０ａ，１４０ｂから出力される音声は同レベルとなり、その後、大小関係は、それまでの大小関係と入れ替わることになる。
【００８６】
このようにすると、テレビからの音声は、視聴者にとってその音源が移動するように聴こえるため、視聴者の注意がさらにサブ画面に引きつけられる。また、視聴者は、ピクチャインピクチャ機能の実行を、さらに明確に認識することができる。
【００８７】
なお、音声定位の時間的な変更は、図１２あるいは図１３に示される変化以外の関係に基づいて行なわれてもよい。たとえば、音声定位の変更が、不連続的に（断続的に）行なわれてもよい。あるいは、音量レベルの変更を規定する信号値を、ステップ関数あるいはパルス信号として与えてもよい。このようにすると、音声の出力の有無が一層明確になるため、サブ画面の表示が行われていることが認識されやすくなる。
【００８８】
以上詳述した実施の形態においては、メイン画面とサブ画面とが表示される場合が説明されたが、それ以上の画面が表示される場合も、本発明における技術思想は、同様に適用可能である。また、音声定位の変更は、サブ画面に対応する音声の定位を変更するものに限られない。メイン画面に対応する音声の定位を変更してもよい。
【００８９】
上述の実施の形態における複数の画面の表示の態様は、図４に示されるように、メイン画面の一部にサブ画面が表示されるものであったが、表示の態様はこれに限られない。すなわち、複数の画面が同時に表示されるものであればよい。たとえば、大きさの異なる複数の画面の全体がそれぞれ表示されてもよいし、大きさの異なる各画面が表示されてもよい。
【００９０】
そこで、図１４を参照して、本発明の他の局面に従うテレビ１００の表示態様について説明する。図１４は、ディスプレイ１３０における大きさの異なる２つの画面の表示を表わす図である。
【００９１】
ディスプレイ１３０は、メイン画面１４１０と、サブ画面１４２０とを表示している。各画面には、各々選択されたチャンネルに対応する映像が表示される。あるいは、チャンネルと、外部から入力される映像信号に基づく映像が表示される。このような場合に、スピーカ１４０ａ，１４０ｂから出力される音声の定位を変更してもよい。
【００９２】
たとえば、サブ画面１４２０に対応する音声は、メイン画面１４１０に対応する音声よりも小さく出力される。その結果、視聴者は、複数の画面が表示されていることを容易に認識することができる。
【００９３】
また、サブ画面１４２０の位置は、図１４に示される位置に限られない。サブ画面１４２０は、メイン画面１４１０と重ならない他の領域に表示されてもよいし、メイン画面１４１０に重なるように移動可能であってもよい。このような場合、サブ画面１４２０の位置の変更に応じて、サブ画面１４２０に対応する音声の定位が変更されてもよい。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９５】
本発明は、複数の画面を表示可能なテレビジョン受像装置に適用可能である。
【図面の簡単な説明】
【００９６】
【図１】本発明の第１の実施の形態に係るテレビ１００のハードウェア構成を表わすブロック図である。
【図２】ＣＰＵ１１０により実現される機能の構成を表わすブロック図である。
【図３】テレビ１００のメモリ１１２におけるデータの格納の一態様を概念的に表わす図である。
【図４】ディスプレイ１３０に表示されるサブ画面の領域を概念的に表わす図である。
【図５】テレビ１００のＣＰＵ１１０が実行する処理の手順を表わすフローチャートである。
【図６】本発明の第２の実施の形態に係るテレビを実現するＣＰＵ１１０が実行する処理の手順を表わすフローチャートである。
【図７】本発明の第３の実施の形態に係るテレビ７００のハードウェア構成を表わすブロック図である。
【図８】テレビ７００のＣＰＵ７１０により実現される機能の構成を表わすブロック図である。
【図９】メモリ１１２における音声定位の変更のためのデータの格納の一態様を概念的に表わす図である。
【図１０】サブ画面の表示のためにディスプレイ１３０に示される領域を表わす図である。
【図１１】本発明の第５の実施の形態に係るテレビのメモリ１１２におけるデータの一態様を概念的に表わす図である。
【図１２】サブ画面に対応する音声が出力される時間と音量レベルの推移とを表わす図である。
【図１３】スピーカ１４０ａ，１４０ｂの各々について設定される音量レベルの関係を表わす図である。
【図１４】他の局面に従うディスプレイ１３０における大きさの異なる２つの画面の表示を表わす図である。
【符号の説明】
【００９７】
１００，７００  テレビ、１０２  アンテナ、１０４  外部入力部、１０６  受光部、１０８  操作部、１１０  ＣＰＵ、１１２  メモリ、１１４ａ，１１４ｂ  チューナ、１１６  切換回路、１２０，７２０  信号処理回路、１２２ａ，１２２ｂ，７２２ａ，７２２ｂ  分離回路、１２４  合成回路、１２６  ＯＳＤ回路、１２８  ドライバ、１３０  ディスプレイ、１３２ａ〜１３２ｈ  定位変換回路、１３４ａ〜１３４ｄ  混合回路、１３６ａ〜１３６ｄ  アンプ、１４０ａ〜１４０ｄ  スピーカ、２１０  入力部、２２０  多重画面表示指令部、２３０  位置設定部、２４０  音声定位変更量決定部、２５０  変更指令部、２６０  出力部、８１０  サラウンド出力指令検出部、８２０  サラウンド出力指令部。
【図１】
2007081675.tif 000003
【図２】
2007081675.tif 000004
【図３】
2007081675.tif 000005
【図４】
2007081675.tif 000006
【図５】
2007081675.tif 000007
【図６】
2007081675.tif 000008
【図７】
2007081675.tif 000009
【図８】
2007081675.tif 000010
【図９】
2007081675.tif 000011
【図１０】
2007081675.tif 000012
【図１１】
2007081675.tif 000013
【図１２】
2007081675.tif 000014
【図１３】
2007081675.tif 000015
【図１４】
2007081675.tif 000016